(57)【特許請求の範囲】
【請求項１】
ケーシングと、
上記ケーシング内に配置され、前面に開口を有する加熱庫と、
上記加熱庫内からの排気を上記ケーシングの前面側に案内する排気通路と、
上記ケーシング内に配置されたファンと、
上記排気通路からの上記排気が流入する排気入口と、上記ファンからの空気の一部が下方から流入する空気流入口と、上記排気入口から流入した上記排気と上記空気流入口から流入した上記ファンからの空気の一部とが混合されて外部に排出される排出口とを有する排気ダクトと
を備え、
上記排気ダクトの上記空気流入口の高さ方向の位置が、上記排気ダクトの上記排出口の高さ方向の位置よりも低く、かつ、上記排気ダクトの上記空気流入口の高さ方向の位置が、上記排気ダクトの上記排気入口の高さ方向の位置よりも低いことを特徴とする加熱調理器。
【請求項２】
請求項１に記載の加熱調理器において、
上記排気ダクトの上記空気流入口と上記排出口との間の風経路に上記排気入口が配置されると共に、
上記排気ダクト内の上記空気流入口と上記排気入口との間に遮蔽壁が設けられていることを特徴とする加熱調理器。
【請求項３】
請求項２に記載の加熱調理器において、
上記遮蔽壁は、上記排気入口から上記排気ダクト内に延長させた柱状領域の上記空気流入口側を囲い、かつ、上記柱状領域の上記排出口側が開いた断面Ｕ字形状の壁であることを特徴とする加熱調理器。
【請求項４】
請求項１から３までのいずれか１つに記載の加熱調理器において、
上記排気ダクトは、複数の上記排出口を有することを特徴とする加熱調理器。
【請求項５】
請求項１から４までのいずれか１つに記載の加熱調理器において、
上記排気ダクトの上記排気入口の直下の領域の除く領域に上記空気流入口が配置されていることを特徴とする加熱調理器。
【請求項６】
請求項１から５までのいずれか１つに記載の加熱調理器において、
上記排気ダクトは、上記空気流入口と上記排出口との間、かつ、上記排気入口よりも上記排出口側で折曲していることを特徴とする加熱調理器。
【請求項７】
請求項１から６までのいずれか１つに記載の加熱調理器において、
上記排気ダクト内の底部は、上記排気入口側から上記排出口側に向かって徐々に低くなった傾斜面を有することを特徴とする加熱調理器。
【請求項８】
請求項１から７までのいずれか１つに記載の加熱調理器において、
上記排気ダクトの上記空気流入口と上記排気入口との間の風経路において、上記排気ダクト内の上記排気入口直下の底部分よりも上端が高い仕切壁が設けられていることを特徴とする加熱調理器。
【請求項９】
請求項１から８までのいずれか１つに記載の加熱調理器において、
上記排気ダクトは、上記排気ダクトの側壁の外側に設けられ、上記排気入口側から上記排出口側に向かって排水を案内する排水案内溝と、上記排水案内溝の上記排出口側に設けられた排水口とを有することを特徴とする加熱調理器。
【請求項１０】
請求項１から９までのいずれか１つに記載の加熱調理器において、
上記加熱庫の上記開口の下方に配置され、上記排気ダクトの上記排出口からの排気を受けて上記ケーシング外に拡散させる露受容器を備えたことを特徴とする加熱調理器。
【発明の詳細な説明】
【技術分野】
【０００１】
この発明は、加熱調理器に関する。
【背景技術】
【０００２】
従来、加熱調理器としては、蒸気を用いて加熱調理を行うものがある(例えば、特開２００８−１１６０９４号公報(特許文献１)参照)。
【０００３】
上記構成の加熱調理器では、加熱庫内からの排気を室内空気と混合して希釈することにより排気温度を下げて、本体の後面側かつ上側から前面側に向かって排出する。これにより、加熱調理器本体の後面側近傍に壁面がある場合や直上に棚がある場合に、水蒸気を含む高熱の排気が当たって壁面や棚を腐食させたりカビが繁殖したりするのを防止できる。
【０００４】
特に水蒸気を用いた調理を行う加熱調理器では、庫内排気を本体の後面側から前面側に向かって排出する構造は、狭い空間に設置するのに無理があった。
【０００５】
そこで、本出願人は、本体内の電装品を冷却するための冷却ファンの風の一部と、加熱庫内からの排気とを排気ダクトで混合した後、その混合した混合排気を本体の前面側から排出できる加熱調理器を考えた。なお、この加熱調理器は、この発明を理解しやすくするために説明するものであって、公知技術ではなく、従来技術ではない。
【０００６】
しかしながら、上記加熱調理器において冷却ファンが故障した場合、冷却ファンの風の一部を取り入れる排気ダクトの構造では、加熱庫内からの排気が外部に排出されないで本体内に流出する可能性がある。
【先行技術文献】
【特許文献】
【０００７】
【特許文献１】特開２００８−１１６０９４号公報
【発明の概要】
【発明が解決しようとする課題】
【０００８】
そこで、この発明の課題は、排気と混合するための空気を供給するファンが故障しても、加熱庫内からの排気が本体内に流れ込まない加熱調理器を提供することにある。
【課題を解決するための手段】
【０００９】
上記課題を解決するため、この発明の加熱調理器は、
ケーシングと、
上記ケーシング内に配置され、前面に開口を有する加熱庫と、
上記加熱庫内からの排気を上記ケーシングの前面側に案内する排気通路と、
上記ケーシング内に配置されたファンと、
上記排気通路からの上記排気が流入する排気入口と、上記ファンからの空気の一部が下方から流入する空気流入口と、上記排気入口から流入した上記排気と上記空気流入口から流入した上記ファンからの空気の一部とが混合されて外部に排出される排出口とを有する排気ダクトと
を備え、
上記排気ダクトの上記空気流入口の高さ方向の位置が、上記排気ダクトの上記排出口の高さ方向の位置よりも低く、かつ、上記排気ダクトの上記空気流入口の高さ方向の位置が、上記排気ダクトの上記排気入口の高さ方向の位置よりも低いことを特徴とする。
【００１０】
上記構成によれば、加熱調理時、加熱庫内からの水蒸気を含む高温の排気が排気通路によりケーシングの前面側に案内され、排気通路を介して排気入口から排気ダクト内に流入する。この排気ダクト内に流入した排気は、空気流入口から流入したファンからの空気の一部と混合されて、ファンからの空気の風圧に押されて排出口を介して外部に排出される。これにより、排気ダクトで混合した混合排気を本体の前面側から排出することが可能となる。そして、排気ダクトの下方から空気が流入する空気流入口の高さ方向の位置を、排気ダクトの排出口の高さ方向の位置よりも低く、かつ、排気ダクトの空気流入口の高さ方向の位置を、排気ダクトの排気入口の高さ方向の位置よりも低くすることによって、故障などによりファンが停止したとき、排気ダクトの排気入口から排気ダクト内に流入した排気は、まず、排気ダクト内の上方から徐々に滞留した後、空気流入口よりも高さ方向の位置が高い排出口から外部に排出され、最も低い空気流入口から排気が出ることがない。したがって、排気と混合するための空気を供給するファンが故障しても、加熱庫内からの排気がケーシング内に流れ込まないようにできる。
【００１１】
また、一実施形態の加熱調理器では、
上記排気ダクトの上記空気流入口と上記排出口との間の風経路に上記排気入口が配置されると共に、
上記排気ダクト内の上記空気流入口と上記排気入口との間に遮蔽壁が設けられている。
【００１２】
上記実施形態によれば、排気ダクトの空気流入口と排出口との間の風経路に排気入口が配置され、その空気流入口と排気入口との間に遮蔽壁を設けることによって、加熱庫内から排気通路を介して排気入口から流入する排気の流れが空気流入口から流入した空気により妨げられることがなく、排気入口への逆流を防ぐことができる。
【００１３】
また、一実施形態の加熱調理器では、
上記遮蔽壁は、上記排気入口から上記排気ダクト内に延長させた柱状領域の上記空気流入口側を囲い、かつ、上記柱状領域の上記排出口側が開いた断面Ｕ字形状の壁である。
【００１４】
上記実施形態によれば、排気入口から排気ダクト内に延長させた柱状領域の空気流入口側を囲い、かつ、上記柱状領域の上記排出口側が開いた断面Ｕ字形状の遮蔽壁を用いることによって、空気流入口から排出口への風経路において遮蔽壁の排出口側が開いているので、空気流入口からの空気の流れと排気入口からの排気との流速差によって、排気入口からの排気をエジェクタ効果により排気ダクト内に引き込むことができる。それにより、排気入口から流入した排気を空気流入口からの空気とスムーズに合流させることができる。
【００１５】
また、一実施形態の加熱調理器では、
上記排気ダクトは、複数の上記排出口を有する。
【００１６】
上記実施形態によれば、排気ダクトの複数の排出口によって、加熱庫内で加熱する被加熱物の種類などにより急激に排気量が増大しても、複数の排出口から分散して外部に排出するので、高温の排気を排出しないようにできる。
【００１７】
また、一実施形態の加熱調理器では、
上記排気ダクトの上記排気入口の直下の領域の除く領域に上記空気流入口が配置されている。
【００１８】
上記実施形態によれば、排気ダクトの排気入口の直下の領域の除く領域に空気流入口を配置することによって、加熱庫内からの排気が排気通路を介して排気ダクト内に流入するとき、排気通路等に生じた結露水が排気ダクトの排気入口から滴下しても、排気入口よりも高さ方向の位置が低い空気流入口から漏れないようにできる。
【００１９】
また、一実施形態の加熱調理器では、
上記排気ダクトは、上記空気流入口と上記排出口との間、かつ、上記排気入口よりも上記排出口側で折曲している。
【００２０】
上記実施形態によれば、排気ダクトの空気流入口と排出口との間、かつ、排気入口よりも排出口側で排気ダクトが折曲していることによって、空気流入口と排出口との間の風経路において、排気入口から排気ダクト内に流入した排気と空気流入口から流入したファンからの空気の一部とが混合された後、混合排気が折れ曲がって排出口に導かれる。これにより、排気と空気とが効率よく混合され、排出口から外部に排出される混合排気の温度を均一にでき、温度分布が偏って高温の排気が排出されることがない。
【００２１】
また、一実施形態の加熱調理器では、
上記排気ダクト内の底部は、上記排気入口側から上記排出口側に向かって徐々に低くなった傾斜面を有する。
【００２２】
上記実施形態によれば、排気ダクト内の底部は、排気入口側から排出口側に向かって徐々に低くなった傾斜面を有することによって、加熱庫内からの排気が排気通路を介して排気ダクト内に流入するとき、排気通路等に生じた結露水が排気ダクトの排気入口から滴下しても、排気ダクト内の底部の傾斜面に沿って排気入口側から排出口側に向かって結露水が流れて、排出口から外部に排水され、排気ダクト内に結露水が溜まることがない。
【００２３】
また、一実施形態の加熱調理器では、
上記排気ダクトの上記空気流入口と上記排気入口との間の風経路において、上記排気ダクト内の上記排気入口直下の底部分よりも上端が高い仕切壁が設けられている。
【００２４】
上記実施形態によれば、排気ダクトの空気流入口と排気入口との間の風経路において、排気ダクト内の排気入口直下の底部分よりも上端が高い仕切壁を設けることによって、加熱庫内からの排気が排気通路を介して排気ダクト内に流入するとき、排気通路等に生じた結露水が排気ダクトの排気入口から滴下しても、排気入口直下の底部分よりも上端が高い仕切壁によって、排気入口よりも高さ方向の位置が低い空気流入口側に結露水が流れるのを防止できる。
【００２５】
また、一実施形態の加熱調理器では、
上記排気ダクトは、上記排気ダクトの側壁の外側に設けられ、上記排気入口側から上記排出口側に向かって排水を案内する排水案内溝と、上記排水案内溝の上記排出口側に設けられた排水口とを有する。
【００２６】
上記実施形態によれば、排気ダクトの側壁の外側に設けられ、排気入口側から排出口側に向かって排水を案内する排水案内溝と、排水案内溝の排出口側に設けられた排水口とを有する排気ダクトを用いることによって、例えば、ケーシング内に生じた結露水などを受けて集めた後、集めた排水を排気ダクトの排水案内溝により排水口側に向かって案内して、排水口から外部に排出する。これにより、排気ダクトの側壁の排水案内溝を流れる結露水によって、排気ダクトを冷却でき、排気ダクト内の混合排気の温度も低くでき、排気の冷却効果を向上できる。また、１つの排気ダクトにより排気処理機能および排水処理機能を兼ねることができる。
【００２７】
また、一実施形態の加熱調理器では、
上記加熱庫の上記開口の下方に配置され、上記排気ダクトの上記排出口からの排気を受けて上記ケーシング外に拡散させる露受容器を備えた。
【００２８】
上記実施形態によれば、加熱庫の開口の下方に配置された露受容器により、排気ダクトの排出口からの混合排気を受けてケーシング外に拡散させるので、冷却されて温度が低くなった混合排気を、前面側にある露受容器により受けてケーシングの前面側にある広い外部空間に拡散させることが可能になる。
【発明の効果】
【００２９】
以上より明らかなように、この発明の加熱調理器によれば、排気と混合するための空気を供給するファンが故障しても、加熱庫内からの排気が本体内に流れ込まない加熱調理器を実現することができる。
【図面の簡単な説明】
【００３０】
【図１】図１はこの発明の実施の形態の加熱調理器の正面図である。
【図２】図２は把手付きドアを全開にした状態の上記加熱調理器の正面図である。
【図３】図３は把手付きドアを全開にした状態の上記加熱調理器の上面図である。
【図４】図４は上記加熱調理器の断面模式図である。
【図５】図５は上記加熱調理器のケーシングを取り外した状態を後方かつ斜め上方から見た斜視図である。
【図６】図６は上記加熱調理器のケーシングを取り外した状態を前方かつ斜め上方から見た斜視図である。
【図７】図７は上記加熱調理器のケーシングを取り外した状態の左側面図である。
【図８】図８は上記加熱調理器のケーシングと底板を取り外した状態を前方かつ斜め下方から見た斜視図である。
【図９】図９は図８に示す加熱調理器に底板を取り付けた状態を前方かつ斜め下方から見た斜視図である。
【図１０】図１０はスリット部と切り起し部とを有する冷却風吹出口を後方かつ斜め上方から見た斜視図である。
【図１１】図１１は図９に示す加熱調理器に露受容器を取り付けた状態を前方かつ斜め下方から見た斜視図である。
【図１２】図１２は上記加熱調理器の左側面図である。
【図１３】図１３は上記加熱調理器の排気ダクトの上面図である。
【図１４】図１４は図１３のXIV−XIV線から見た断面図である。
【図１５】図１５は上記排気ダクトの下面図である。
【図１６】図１６は上記排気ダクトの正面図である。
【図１７】図１７は上記加熱調理器の露受容器の上面図である。
【図１８】図１８は上記露受容器を後方かつ斜め上方から見た斜視図である。
【図１９】図１９はマイクロ波により加熱調理するときの上記加熱調理器の把手付きドアを開いた状態の正面図である。
【図２０】図２０は小さい食品をヒータにより加熱調理するときの加熱調理器の正面図である。
【図２１】図２１は大きい食品をヒータにより加熱調理するときの加熱調理器の正面図である。
【図２２】図２２は上記加熱調理器の前面側かつ下側の空気の流れを説明する模式図である。
【発明を実施するための形態】
【００３１】
以下、この発明の加熱調理器を図示の実施の形態により詳細に説明する。
【００３２】
図１はこの発明の一実施の形態の加熱調理器の正面図である。
【００３３】
上記加熱調理器は、図１に示すように、ケーシング１と、このケーシング１の前面側に取り付けられた扉の一例としての把手付きドア２とを備えている。この把手付きドア２の略中央に耐熱ガラス５を取り付けている。また、ケーシング１の前面側には、閉鎖時の把手付きドア２と隣り合うように操作パネル３を設けている。そして、把手付きドア２と操作パネル３の下方には、排気受け部の一例としての露受容器４を配置している。
【００３４】
上記操作パネル３に、複数の押ボタンなどを取り付けている。また、操作パネル３は液晶表示部７を有し、この液晶表示部７が操作に応じた表示を行う。
【００３５】
上記露受容器４は、ケーシング１の底部の前側に設けられた２つの前脚６,６に着脱可能な容器である。そして、露受容器４を前方から後方に向かってケーシング１の下側に挿入して前脚６,６に取り付けると、露受容器４の一部が閉鎖時の把手付きドア２の後面(裏面)の下方に位置する。これにより、把手付きドア２を開放したとき、把手付きドア２の後面に付着した結露水が、加熱庫８(図８に示す)の開口８a(図８に示す)の下方に配置された露受容器４内に滴下するようにしている。
【００３６】
また、図２は加熱調理器の把手付きドア２を全開にした状態を正面から見た正面図を示しており、図３は加熱調理器の上面図を示している。この図２,図３では、図１に示す加熱調理器と同一の構成部には同一参照番号を付している。
【００３７】
図２,図３に示すように、ケーシング１内に被加熱物２３(図４参照)を加熱するための加熱庫８を設置している。ケーシング１の前面側に配置された把手付きドア２は、ケーシング１の左側の側端部を中心に左右方向に回動して、加熱庫８(図４に示す)の前面の開口８a(図８に示す)を開閉する。ここで、把手付きドア２は、ケーシング１の操作パネル３側とは反対の側部にヒンジ(図示せず)を介して回動自在に取り付けられている。
【００３８】
上記把手付きドア２の右側かつ後面にラッチフック９０,９０が設けられている。このラッチフック９０,９０は、把手付きドア２の閉鎖時、開口８aの周縁部に設けられた挿通孔９１,９１に挿通され、ケーシング1内のラッチ機構(図示せず)に解除可能に係止される。また、ラッチフック９０,９０の係止の解除は、ユーザが把手付きドア２の把手２ａを握ることで行える。
【００３９】
なお、図２において、８０は、蒸気発生装置１３(図５に示す)で発生した蒸気が加熱庫８内に向かって吹き出す蒸気吹出口である。
【００４０】
また、図４は加熱調理器の断面模式図を示している。なお、図４において、２６は加熱庫８内の上側に配置されたヒータである。
【００４１】
この加熱調理器では、図４に示すように、冷却ファン１６により外部から吸気口１７を介して吸い込まれた空気の一部は、冷却空間の一例としての電装品室９を通過した後、給気ダンパ５０が開いて開状態の給気口８bから加熱庫８に流入する。一方、外部から吸い込まれた空気の他の一部は、電装品室９を通過した後、ケーシング１の底部側に流れて加熱庫８の下側の風通路を介して排気ダクト１００の空気流入口の一例としての冷却空気入口１０２に流入する。
【００４２】
また、加熱庫８内の空気の一部は、排気口８cと排気通路の一例としての排気チューブ１８を介して排気ダクト１００に排出されて、排気ダクト１００内で排気入口１０１から流入した空気と混合される。そうして、排気ダクト１００内で希釈された排気を４つの排出口１０４から下方の露受容器４内に向かって吹き出す。
【００４３】
ここで、ケーシング１の底部側に流れて加熱庫８の下側の風通路を流れる空気の一部は、ケーシング１の底板３０(図９に示す)の前面側に設けられた複数の冷却風吹出口７０から、排出口１０４からの排気を受けて拡散させる露受容器４内の領域Ｓ(図１７)に向かって吹き出す。
【００４４】
図５は加熱調理器のケーシング１を取り外した状態を後方かつ斜め上方から見た斜視図を示している。
【００４５】
上記ケーシング１内には、図５に示すように、被加熱物２３(図４に示す)を加熱するための加熱庫８を設置している。また、ケーシング１内において、加熱庫８の側方かつ操作パネル３の後方に冷却空間の一例としての電装品室９を設け、加熱庫８の後方かつ電装品室９の後方に吸気空間１０を設けている。
【００４６】
上記加熱庫８の上方、下方、後方および両側方のそれぞれには、遮熱板１１,１１,…を配置している。つまり、遮熱板１１,１１,…は、加熱庫８の開口８aを除く周囲に配置されている。また、遮熱板１１と加熱庫８との間の空間に断熱材(図示せず)を充填している。
【００４７】
上記加熱庫８の後面側に、加熱庫８へ供給される蒸気を発生させる蒸気発生装置１３を配置し、加熱庫８の下側に、この蒸気発生装置１３に給水チューブを介して接続された給水ポンプ(図示せず)を配置している。また、ケーシング１内の電装品室９内に、給水タンク(図示せず)が収納されるタンク収納部１５と、マグネトロン５１と、電源トランス５２などが配置されている。そして、被加熱物２３の加熱時には、冷却ファン１６からの冷却空気が電装品室９内を流れ、マグネトロン５１などの電装品を冷却できるようにしている。
【００４８】
上記吸気空間１０には、冷却ファン１６の駆動に伴い、ケーシング１外の空気が複数の吸気口(図示せず)から流れ込む。そして、吸気空間１０内の空気は冷却ファン１６で電装品室９内に送られる。なお、各吸気口はケーシング１の後部に設けられた複数のスリットで構成されている。
【００４９】
なお、図５において、２１は、電装品室９と吸気空間１０とを仕切る間仕切壁である。この間仕切壁２１に冷却ファン１６を取り付けている。また、加熱庫８内の上側にヒータ２６を配置している。また、マグネトロン５１で発生したマイクロ波は、導波管(図示せず)を介して加熱庫８の下部中央に導かれ、回転アンテナ(図示せず)によって攪拌されながら加熱庫８内の上方に向かって放射されて被加熱物２３(図４に示す)を加熱する。
【００５０】
収納部１５に収納された給水タンク内の水は、給水ポンプの駆動により、給水チューブ(図示せず)を介して蒸気発生装置１３に供給される。蒸気発生装置１３は、給水ポンプからの水を蒸気発生用ヒータ２４で加熱して、水蒸気を発生させる。
【００５１】
図６は上記加熱調理器のケーシング１を取り外した状態を前方かつ斜め上方から見た斜視図を示しており、図７は上記加熱調理器のケーシング１を取り外した状態の左側面図を示している。図６,図７に示すように、加熱庫８の左側壁に設けられた排気口８c(図４に示す)に、排気チューブ１８の上流端を接続し、その排気チューブ１８の下流端(排気出口)を、ケーシング１内の左下側かつ前面側に配置された合成樹脂製の排気ダクト１００に接続している。この排気チューブ１８は、可撓性を有する合成樹脂からなる。
【００５２】
そして、加熱庫８内の気体は、排気チューブ１８と排気ダクト１００によって、ケーシング１の側部から前面側に案内されてケーシング１外に出るようにしている。
【００５３】
また、排気ダクト１００の後面側の排水受け部１１１に、排水溝１１０の先端部を接続している。この排水溝１１０は、加熱庫８を覆う遮熱板１１の側面を伝って落ちる結露水を受ける。図７では、排水溝１１０を省略している。
【００５４】
図８は上記加熱調理器のケーシング１と底板３０(図９に示す)を取り外した状態を前方かつ斜め下方から見た斜視図を示しており、ケーシング１の左前方かつ下側の角部に、Ｌ字形状の排気ダクト１００を配置している。この排気ダクト１００の後面側かつ下側に、開口が下方を向くように冷却空気入口１０２を設けると共に、排気ダクト１００の前面側かつ下側に左右方向に４つの排出口１０４を所定の間隔をあけて設けると共に、排出口１０４の右側に排水口１０５を設けている。
【００５５】
次に、図９は図８に示す加熱調理器に底板３０を取り付けた状態を前方かつ斜め下方から見た斜視図を示している。図９に示すように、ケーシング１の底板３０の前面側に、排気ダクト１００(図８に示す)の前面側かつ下側の４つの排出口１０４および排水口１０５に対応する５つの円穴６０を設けている。
【００５６】
また、ケーシング１の底板３０の前面側かつ円穴６０よりも後面側に、排出口１０４からの排気を受けて拡散させる露受容器４(図１１,図１２に示す)内の領域Ｓ(図１７に示す)に向かって冷却ファン１６(図５に示す)からの冷却空気の一部が吹き出す複数の冷却風吹出口７０を設けている。
【００５７】
この冷却風吹出口７０は、図１０に示すように、左右方向に所定の間隔をあけて配列された複数のスリット部７０aと、そのスリット部７０aの長手側の縁の一方(冷却空気の風下側)に設けられた冷却風案内部としての切り起し部７０bとを有する。また、スリット部７０aの長手方向は、ケーシング１の前面の下縁に沿った左右方向に対して、左後面側から右前面側に向かって傾いている。また、この冷却風吹出口７０の切り起し部７０bは、ケーシング１の内側(図１０の上側)への切り起しにより形成されている。
【００５８】
なお、この実施の形態では、冷却風案内部として冷却風吹出口７０に切り起し部７０bを設けたが、冷却風案内部はこれに限らず、別部材により冷却空気の流れを制御するものでもよい。
【００５９】
この冷却風吹出口７０の切り起し部７０bによって、加熱庫８の底面と底板３０との間を右側の電装品室９(図５に示す)側から排気ダクト１００(図８に示す)のある左側に向かって流れる冷却空気の一部が、冷却風吹出口７０から露受容器４(図１１,図１２に示す)内の排出口１０４に対向する領域Ｓ(図１７に示す)に向かって吹き出すようにしている。
【００６０】
図１１は図９に示す加熱調理器に露受容器４を取り付けた状態を前方かつ斜め下方から見た斜視図を示している。なお、図１１では、ケーシング１と把手付きドア２と操作パネル３も取り付けている。
【００６１】
図１２は図１１に示す加熱調理器を左側面から見た図である。
【００６２】
また、図１３は加熱調理器の排気ダクト１００の上面図を示し、図１４は図１３のXIV−XIV線から見た断面図を示し、図１５は排気ダクト１００の下面図を示し、図１６は排気ダクト１００の正面図を示している。
【００６３】
図１３に示すように、排気ダクト１００は、排気入口１０１と冷却空気入口１０２(図１４,図１５に示す)が設けられた合流部１００aと、合流部１００aの前面側(図１２の紙面の下側)から略直角に右方向に延びる攪拌排出部１００bとを有する。排気ダクト１００の合流部１００aの上側に、排気入口１０１を有する円筒状の接続部１２０を立設している。この接続部１２０を排気ダクト１００内に延長した柱状領域を囲むように、排気ダクト１００内に断面Ｕ字形状の遮蔽壁１０３を設けている。遮蔽壁１０３の前面側(図１３の紙面の下側)が開口している。
【００６４】
また、排気ダクト１００の攪拌排出部１００bの下側に、所定の間隔をあけて４つの排出口１０４を形成している。
【００６５】
また、排気ダクト１００の合流部１００aの後面側(図１４の紙面の上側)に、排水溝１１０の先端部が接続される排水受け部１１１を設けている。また、排水受け部１１１と排気入口１０１との間の下側(図１４の紙面の左側)に冷却空気入口１０２を設けている。そして、排気ダクト１００の合流部１００aの右側面および攪拌排出部１００bの後面側,右側面に溝１１２,溝１１３,溝１１４を夫々形成し、溝１１４に排水口１１５を形成している。この溝１１２,溝１１３,溝１１４により排水受け部１１１で受けた水を排水口１１５に案内して、排水口１１５から下側の露受容器４に排水する(図１３,図１４において、点線の矢印は排水の流れを示す)。溝１１２,溝１１３,溝１１４で排水案内溝を構成している。
【００６６】
なお、図１４に示すように、排気ダクト１００の合流部１００aには、冷却空気入口１０２と接続部１２０との間に開口部１２１を設け、その開口部１２１から合流部１００aまでの間に、攪拌排出部１００bに向かって徐々に低くなる傾斜面１２２を設けている。さらに、攪拌排出部１００b 内の底部も合流部１００a側から右側の先端に向かって徐々に低くなる傾斜面１２４(図１６に示す)を設けている。この合流部１００aの傾斜面１２２と攪拌排出部１００bの傾斜面１２４により、排気入口１０１から凝縮水が流入しても、攪拌排出部１００bに案内して排出口１０４から排水することができる。
【００６７】
また、排気ダクト１００の冷却空気入口１０２と接続部１２０との間に開口部１２１の下側に、排気ダクト１００内の排気入口１０１直下の底部分よりも上端が高い仕切壁１２３を設けている。
【００６８】
上記排気ダクト１００の下方から冷却空気が流入する冷却空気入口１０２の高さ方向の位置が、排気ダクト１００の排出口１０４の高さ方向の位置よりも低く、かつ、排気ダクト１００の排出口１０４の高さ方向の位置が、排気ダクト１００の排気入口１０１の高さ方向の位置よりも低くなっている。冷却空気入口１０２と排出口１０４との高低差はＨ１であり、排出口１０４と排気入口１０１との高低差はＨ２である。
【００６９】
なお、この発明の加熱調理器の排気ダクトは、上記実施の形態の排気ダクト１００に限らず、排気通路からの排気が流入する排気入口と、ファンからの空気の一部が下方から流入する空気流入口と、排気入口から流入した排気と空気流入口から流入したファンからの空気の一部とが混合されて外部に排出される排出口とを有する排気ダクトとを備え、排気ダクトの空気流入口の高さ方向の位置が、排気ダクトの排出口の高さ方向の位置よりも低く、かつ、排気ダクトの空気流入口の高さ方向の位置が、排気ダクトの排気入口の高さ方向の位置よりも低いものであればよい。したがって、排気ダクトの排気入口の高さ方向の位置が、排気ダクトの排出口の高さ方向の位置よりも低くてもよく、排気ダクトの空気流入口と排気入口と排出口のうち、空気流入口の高さ方向の位置が最も低いものであればよい。
【００７０】
また、この実施の形態では、冷却ファン１６からの冷却空気の一部が排気ダクト１００の冷却空気入口１０２に下方から流入したが、冷却ファンに限らず、排気用や希釈用のファンなどを用いてもよい。
【００７１】
図１３〜図１６に示す排気ダクト１００において、加熱庫８(図６に示す)内から排気が排気チューブ１８(図６に示す)と排気入口１０１を介して排気ダクト１００の合流部１００a内に流入すると共に、加熱庫８の底面と底板３０との間を右側の電装品室９(図５に示す)側から排気ダクト１００(図８に示す)のある左側に向かって流れる冷却空気の一部が、冷却空気入口１０２を介して排気ダクト１００の合流部１００a内に流入する。そうして、排気ダクト１００の合流部１００a内の遮蔽壁１０３よりも下流側(図１３の紙面の下側)で、冷却空気と排気とが混合されながら攪拌排出部１００bに流れ、攪拌排出部１００bで攪拌され希釈された後、混合排気となって４つの排出口１０４から下側の露受容器４に向かって排出される。
【００７２】
図１７は上記加熱調理器の露受容器４の上面図を示し、図１８は露受容器４を後方かつ斜め上方から見た斜視図を示している。
【００７３】
図１７,図１８に示すように、露受容器４は、横長の長方形状の第１露受凹部４１と、その第１露受凹部４１の前方に設けられた第２露受凹部４２とを有し、第１露受凹部４１と第２露受凹部４２は、露受容器４に設けられた冷却風案内壁としてのリブ４３により隔てられている。リブ４３は、第１リブ４３aと、その第１リブ４３aよりも高さが低い第２リブ４３bとを有する。第１リブ４３aは、リブ４３の右側(図１８の左側)略２／３を占めている。
【００７４】
なお、この実施の形態では、冷却風案内壁として露受容器４にリブ４３を設けたが、冷却風案内部はこれに限らず、別部材により冷却空気を案内するものでもよい。
【００７５】
また、第１露受凹部４１の両側に後面側(図１７の上側)が開口する嵌合凹部４５Ａ,４５Ｂが夫々設けられ、その嵌合凹部４５Ａ,４５Ｂ内に後面側に向かって延びる湾曲アーム部４６Ａ,４６Ｂが夫々設けられている。また、嵌合凹部４５Ａ,４５Ｂ内の第１露受凹部４１側にガイド部４７Ａ,４７Ｂが夫々設けられている。
【００７６】
この露受容器４をケーシング１の底部の前側に設けられた２つの前脚６,６(図１に示す)に装着するとき、前脚６,６の嵌合凸部(図示せず)が露受容器４のガイド部４７Ａ,４７Ｂに案内されながら嵌合凹部４５Ａ,４５Ｂに嵌合する。このとき、露受容器４の湾曲アーム部４６Ａ,４６Ｂが弾性変形することにより、前脚６,６の嵌合凸部(図示せず)をガイド部４７Ａ,４７Ｂと協働して挟み込み、露受容器４が前脚６,６に保持される。
【００７７】
上記露受容器４の第２露受凹部４２の左側の領域Ｓ(図１７に示す)が、上側の排気ダクト１００(図１３〜図１６に示す)の排出口１０４の開口に対向している。排気ダクト１００の排出口１０４からの排気を、下側の露受容器４の第２露受凹部４２の領域Ｓで受けてケーシング１外に拡散させる。このとき、排気は、露受容器４の第２露受凹部４２内から、露受容器４と把手付きドア２との隙間や露受容器４とケーシング１との隙間からケーシング１の前面側にある広い外部空間に拡散する。
【００７８】
また、排気ダクト１００の排水口１１５から滴下する水滴を露受容器４の第２露受凹部４２で受ける。
【００７９】
そして、ケーシング１の底部かつ前面側に設けられた冷却風吹出口７０から吹き出す冷却風を、冷却風案内壁としてのリブ４３によって、露受容器４内の領域Ｓに向かって案内する。
【００８０】
上記構成の加熱調理器において、必要量の水を入れた給水タンクを、タンク収納部１５に収納した後、操作パネル３を操作して蒸気を用いた加熱調理を開始する。そうすると、加熱庫８内の上側に配置されたヒータ２６をオンすると共に、給水ポンプを駆動して、給水タンク内の水を蒸気発生装置１３に供給し、蒸気発生装置１３に供給された水を蒸気発生用ヒータ２４で加熱して、水蒸気を発生させる。そして、蒸気発生装置１３で発生した水蒸気が加熱庫８内に吹き出し、加熱庫８内でヒータ２６により加熱されて１００℃以上の過熱水蒸気となる。これにより、加熱庫８内の食品は、加熱庫８内の上側のヒータ２６からの輻射熱および１００℃以上の過熱水蒸気により加熱調理される。このとき、食品表面に供給されて付着した過熱水蒸気が食品表面で凝縮して大量の凝縮潜熱を食品に与えるので、食品に熱を効率よく伝えることができる。
【００８１】
この加熱調理器では、蒸気を用いずにヒータ２６(図４,図５に示す)のみを用いたオーブン調理を行ってもよいし、ヒータ２６を用いずに蒸気発生装置１３で発生した水蒸気のみを用いた蒸し料理などを行ってもよい。
【００８２】
また、図１９はマイクロ波により加熱調理するときの加熱調理器の把手付きドア２を開いた状態の正面図を示している。このマイクロ波による加熱調理では、被加熱物は、加熱庫８の底部に載置する。図１９において、８０は蒸気発生装置１３(図５に示す)から蒸気を加熱庫８内に吹き出す蒸気吹出口である。
【００８３】
また、図２０は小さい食品をヒータ２６により加熱調理するときの加熱調理器の正面図を示している。このヒータ２６(図４,図５に示す)による加熱調理では、加熱庫８内の下段に、網３３を載せたトレイ３２を挿入し、網３３上に被加熱物２３を載置する。これにより、加熱庫８内の上側に配置されたヒータ２６により被加熱物２３を加熱する。
【００８４】
また、図２１は大きい食品をヒータ２６により加熱調理するときの加熱調理器の正面図を示している。このヒータ２６(図４,図５に示す)による加熱調理では、加熱庫８内の底部に、網３３を載せたトレイ３２を置き、網３３上に被加熱物２３を載置する。これにより、加熱庫８内の上側に配置されたヒータ２６により被加熱物２３を加熱する。
【００８５】
また、図２２は上記加熱調理器の前面側かつ下側の空気の流れを説明する模式図を示している。この図２２は、上方から見た模式図であり、黒色の矢印が加熱庫８の底面と底板３０との間を右側の電装品室９(図５に示す)側から排気ダクト１００(図８に示す)のある左側に向かって流れる冷却空気を示し、実線で囲まれた白色の矢印が加熱庫８内からの排気を示し、点線で囲まれた白色の矢印が混合空気を示している。なお、図２２では、排水口１１５を省略している。
【００８６】
図２２に示すように、加熱庫８(図６に示す)内から排気が排気ダクト１００の排気入口１０１(図１３に示す)を介して排気ダクト１００内に流入すると共に、加熱庫８の底面と底板３０との間を右側の電装品室９(図５に示す)側から排気ダクト１００(図８に示す)のある左側に向かって流れる冷却空気の一部が、排気ダクト１００の冷却空気入口１０２(図１３に示す)を介して排気ダクト１００内に流入する。そうして、排気ダクト１００内で冷却空気と排気とが混合された後、４つの排出口１０４から下側の露受容器４に向かって排出される。
【００８７】
上記構成の加熱調理器によれば、加熱庫８内に食品を入れて加熱調理するとき、加熱庫８内が高温になって加熱された食品から水蒸気や煙などが出て加熱庫８内に充満すると、加熱庫８内からの排気が、排気チューブ１８と排気ダクト１００によりケーシング１内を通って前面側に案内される。そして、ケーシング１の前面側に設けられた露受容器４により、排気ダクト１００の排出口１０４からの排気を受けてケーシング１外に拡散させる。このとき、加熱庫８内からの水蒸気を含む高温の排気が排気ダクト１００内で冷却空気と混合されて冷却されるので、冷却されて温度が低くなった排気を、前面側にある露受容器４により受けてケーシング１の前面側にある広い外部空間に拡散させることが可能になる。
【００８８】
これにより、加熱調理器本体の後面側近傍に壁面がある場合や直上に棚がある場合でも、庫内排気を本体の後面側から排出しないので、水蒸気を含む高熱の排気が当たって壁面や棚を腐食させたりカビが繁殖したりすることがない。したがって、狭い空間に設置しても、後面側から排気することなく加熱庫８内からの排気を処理できる。
【００８９】
なお、加熱庫８内で被加熱物を加熱調理する手段としては、ヒータによる加熱に限らず、水蒸気を用いた蒸し料理などを含む加熱調理でもよいし、１００℃以上の過熱水蒸気を用いた加熱調理でもよい。
【００９０】
図１４に示すように、排気ダクト１００の下方から冷却空気が流入する冷却空気入口１０２の高さ方向の位置を、排気ダクト１００の排出口１０４の高さ方向の位置よりも低く、かつ、排気ダクト１００の冷却空気入口１０２の高さ方向の位置を、排気ダクト１００の排気入口１０１の高さ方向の位置よりも低くすることによって、故障などによりファンが停止したとき、排気ダクト１００の排気入口１０１から排気ダクト１００内に流入した排気は、まず、排気ダクト１００内の上方から徐々に滞留した後、冷却空気入口１０２よりも高さ方向の位置が高い排出口１０４から外部に排出され、最も低い冷却空気入口１０２から排気が出ることがない。したがって、排気と混合するための冷却空気を供給する冷却ファン１６が故障しても、加熱庫８内からの排気が本体内に流れ込まないようにできる。これにより、電装品室９に水蒸気が入り込まないようにできる。
【００９１】
また、排気ダクト１００の冷却空気入口１０２と排出口１０４との間の風経路に排気入口１０１が配置され、その冷却空気入口１０２と排気入口１０１との間に遮蔽壁１０３を設けることによって、加熱庫８内から排気チューブ１８を介して排気入口１０１から流入した排気の流れを、冷却空気入口１０２からの冷却空気により妨げることがなく、排気入口１０１への逆流を防ぐことができる。
【００９２】
また、排気入口１０１から排気ダクト１００内に延長させた柱状領域の冷却空気入口１０２側を囲い、かつ、柱状領域の排出口１０４側が開いた断面Ｕ字形状の遮蔽壁１０３を用いることによって、冷却空気入口１０２から排出口１０４への風経路において遮蔽壁１０３の排出口１０４側が開いているので、冷却空気入口１０２からの冷却空気の流れと排気入口１０１からの排気との流速差によって、排気入口１０１からの排気をエジェクタ効果により排気ダクト１００内に引き込むことができる。それにより、排気入口１０１から流入した排気を冷却空気入口１０２からの冷却空気とスムーズに合流させることができる。
【００９３】
また、排気ダクト１００の４つの排出口１０４によって、加熱庫８内で加熱する被加熱物２３の種類などにより急激に排気量が増大しても、複数の排出口１０４から分散して外部に排出するので、高温の排気を排出しないようにできる。なお、排気ダクトの排出口の数は、これに限らず、２または３または５以上であってもよい。
【００９４】
また、排気ダクト１００の排気入口１０１の直下の領域の除く領域に冷却空気入口１０２を配置することによって、加熱庫８内からの排気が排気チューブ１８を介して排気ダクト１００内に流入するとき、排気チューブ１８等に生じた結露水が排気ダクト１００の排気入口１０１から滴下しても、排気入口１０１の直下に冷却空気入口１０２がないので、排気入口１０１よりも高さ方向の位置が低い冷却空気入口１０２から漏れないようにできる。
【００９５】
また、排気ダクト１００の冷却空気入口１０２と排出口１０４との間、かつ、排気入口１０１よりも排出口１０４側で排気ダクト１００が折曲していることによって、冷却空気入口１０２と排出口１０４との間の風経路において、排気入口１０１から排気ダクト１００内に流入した排気が冷却空気入口１０２から流入した冷却ファン１６からの冷却空気の一部と混合した後、混合排気が折れ曲がった風経路を通って排出口１０４に導かれるので、排気と冷却空気とが効率より混合され、排出口１０４から外部に排出される混合排気の温度を均一にでき、温度分布が偏って高温の排気が排出されることがない。
【００９６】
また、排気ダクト１００内の底部は、排気入口１０１側から排出口１０４側に向かって徐々に低くなった傾斜面１２２を有することによって、加熱庫８内からの排気が排気チューブ１８を介して排気ダクト１００内に流入するとき、排気チューブ１８等に生じた結露水が排気ダクト１００の排気入口１０１から滴下しても、排気ダクト１００内の底部の傾斜面１２２に沿って排気入口１０１側から排出口１０４側に向かって結露水が流れて、排出口１０４から外部に排水され、排気ダクト１００内に結露水が溜まることがない。
【００９７】
また、排気ダクト１００の冷却空気入口１０２と排気入口１０１との間の風経路において、排気ダクト１００内の排気入口１０１直下の底部分よりも上端が高い仕切壁１２３を設けることによって、加熱庫８内からの排気が排気チューブ１８を介して排気ダクト１００内に流入するとき、排気チューブ１８等に生じた結露水が排気ダクト１００の排気入口１０１から滴下しても、排気入口１０１直下の底部分よりも上端が高い仕切壁１２３によって、排気入口１０１よりも高さ方向の位置が低い冷却空気入口１０２側に結露水が流れるのを防止できる。
【００９８】
また、排気ダクト１００の側壁の外側に設けられ、排気入口１０１側から排出口１０４側に向かって排水を案内する排水案内溝(溝１１２,溝１１３,溝１１４)と、その排水案内溝の排出口１０４側に設けられた排水口１０５とを有する排気ダクト１００を用いることによって、ケーシング１内に生じた結露水を排水受け部１１１により集めた後、集めた排水を排気ダクト１００の排水案内溝により排水口１０５側に向かって案内して、排水口１０５から外部に排出する。これにより、排気ダクト１００の側壁の排水案内溝を流れる結露水によって、排気ダクト１００を冷却でき、排気ダクト１００内の混合排気の温度も低くでき、排気の冷却効果を向上できる。また、１つの排気ダクト１００により排気処理機能および排水処理機能を兼ねることができる。
【００９９】
また、加熱庫８の開口の下方に配置された露受容器４により、排気ダクト１００の排出口１０４からの混合排気を受けてケーシング１外に拡散させるので、冷却されて温度が低くなった混合排気を、前面側にある露受容器４により受けてケーシング１の前面側にある広い外部空間に拡散させることが可能になる。
【０１００】
また、ケーシング１内の少なくとも電装品を冷却する冷却ファン１６からの冷却空気の一部が、ケーシング１の底部かつ前面側に設けられた冷却風吹出口７０を介して、排気ダクト１００の排出口１０４からの排気を受けて拡散させる露受容器４内の領域に向かって吹き出すことにより、排気ダクト１００の排出口１０４から露受容器４内に吹き出した排気が、冷却空気の一部で希釈されると共に拡散が促進され、ケーシング１の前面側にある広い外部空間に効率よく拡散させることができる。
【０１０１】
また、冷却風吹出口７０に設けた切り起し部７０b(冷却風案内部)によって、ケーシング１の底部かつ前面側に設けられた冷却風吹出口７０から吹き出す冷却風を、排気ダクト１００の排出口１０４からの排気を受けて拡散させる露受容器４内の領域Ｓに向かって案内するので、排気ダクト１００の排出口１０４から露受容器４内に吹き出した排気の希釈と拡散を効率よく行うことができる。
【０１０２】
また、ケーシング１の底部かつ前面側に設けられた冷却風吹出口７０から吹き出す冷却風は、ケーシング１の左側端の把手付きドア２の回動中心のある側において、露受容器４が排気ダクト１００の排出口１０４からの排気を受けることによって、開いたときに把手付きドア２を持つ手は、把手付きドア２の回動中心とは逆の側にあるので、露受容器４で拡散された排気を、把手付きドア２を持つ手に受けることがない。
【０１０３】
また、露受容器４に設けられたリブ４３(冷却風案内壁)によって、ケーシング１の底部かつ前面側に設けられた冷却風吹出口７０から吹き出す冷却風を、露受容器４内の排気ダクト１００の排出口１０４からの排気を受けて拡散させる領域Ｓに向かって案内するので、排気ダクト１００の排出口１０４から露受容器４内に吹き出した排気の希釈と拡散を効率よく行うことができる。
【０１０４】
また、ケーシング１内の排気ダクト１００の排出口１０４側に設けられた排気ダクト１００によって、加熱庫８内からの排気を冷却ファン１６からの冷却空気の他の一部と混合して露受容器４内に排気するので、電装品を冷却する冷却ファン１６からの冷却空気を利用して、排気の希釈と排気温度の低下を効率よく行うことができる。
【０１０５】
また、排気通路である排気チューブ１８がケーシング１内の電装品室９(冷却空間)を通って、加熱庫８内からの排気を前面側に案内するようにしてもよい。これにより、排気通路の経路長を長くして、電装品室９(冷却空間)を通過する経路を長くすることで冷却効率を高めることができる。
【０１０６】
上記実施の形態では、排気ダクトの排出口からの混合排気を拡散させる露受容器４を用いた加熱調理器について説明したが、露受容器の形態はこれに限らず、排気ダクトの排出口からの排気を受けてケーシング外に拡散させるものであればよい。
【０１０７】
また、上記実施の形態では、ケーシング１に対して横方向に回動する把手付きドア２で加熱庫８の開口８aを開閉していたが、この発明の加熱調理器が備える開閉扉は、スライド式であってもよいし、回動式であってもよい。
【０１０８】
この発明の加熱調理器としては、例えば、過熱水蒸気を使用するオーブンレンジのみならず、過熱水蒸気を使用するオーブン、過熱水蒸気を使用しないオーブンレンジ、過熱水蒸気を使用しないオーブンなどがある。
【０１０９】
この発明の加熱調理器では、オーブンレンジなどにおいて、過熱水蒸気または飽和水蒸気を用いることによって、ヘルシーな調理を行うことができる。例えば、本発明の加熱調理器では、温度が１００℃以上の過熱水蒸気または飽和水蒸気を食品表面に供給し、食品表面に付着した過熱水蒸気または飽和水蒸気が凝縮して大量の凝縮潜熱を食品に与えるので、食品に熱を効率よく伝えることができる。また、凝縮水が食品表面に付着して塩分や油分が凝縮水と共に滴下することにより、食品中の塩分や油分を低減できる。さらに、加熱室内は過熱水蒸気または飽和水蒸気が充満して低酸素状態となることにより、食品の酸化を抑制した調理が可能となる。ここで、低酸素状態とは、加熱室内において酸素の体積％が１０％以下(例えば０．５〜３％)である状態を指す。
【０１１０】
この発明の具体的な実施の形態について説明したが、この発明は上記実施の形態に限定されるものではなく、この発明の範囲内で種々変更して実施することができる。
【符号の説明】
【０１１１】
１…ケーシング
２…把手付きドア
３…操作パネル
４…露受容器
６,６…前脚
７…液晶表示部
８…加熱庫
８a…開口
８c…排気口
８b…給気口
９…電装品室
１０…吸気空間
１１,１１…遮熱板
１３…蒸気発生装置
１５…タンク収納部
１６…冷却ファン
１７…吸気口
１８…排気チューブ
２１…間仕切壁
２３…被加熱物
２４…蒸気発生用ヒータ
２６…ヒータ
３０…底板
３２…トレイ
３３…網
４３…リブ
５１…マグネトロン
７０…冷却風吹出口
７０a…スリット部
７０b…切り起し部
１００…排気ダクト
１００a…合流部
１００b…攪拌排出部
１０１…排気入口
１０２…冷却空気入口
１０３…遮蔽壁
１０４…排出口
１０５…排水口
１１０…排水溝
１１１…排水受け部
１１２,１１３,１１４…溝
１１５…排水口
１２０…接続部
１２１…開口部
１２２…傾斜面
１２３…仕切壁
１２４…傾斜面
【要約】
【課題】排気と混合するための空気を供給するファンが故障しても、加熱庫内からの排気が本体内に流れ込まない加熱調理器を提供する。
【解決手段】  ケーシングと、ケーシング内に配置され、前面に開口を有する加熱庫と、加熱庫内からの排気をケーシングの前面側に案内する排気チューブ１８と、ケーシング内に配置された冷却ファンと、排気チューブ１８の他端が接続された排気入口１０１を有する排気ダクト１００とを備える。排気ダクト１００の下方から冷却空気が流入する冷却空気入口１０２の高さ方向の位置を、排気ダクト１００の排出口１０４の高さ方向の位置よりも低く、かつ、排気ダクト１００の冷却空気入口１０２の高さ方向の位置を、排気ダクト１００の排気入口１０１の高さ方向の位置よりも低くする。
【選択図】図１４【図１】
0004843100.tif 000002
【図２】
0004843100.tif 000003
【図３】
0004843100.tif 000004
【図４】
0004843100.tif 000005
【図５】
0004843100.tif 000006
【図６】
0004843100.tif 000007
【図７】
0004843100.tif 000008
【図８】
0004843100.tif 000009
【図９】
0004843100.tif 000010
【図１０】
0004843100.tif 000011
【図１１】
0004843100.tif 000012
【図１２】
0004843100.tif 000013
【図１３】
0004843100.tif 000014
【図１４】
0004843100.tif 000015
【図１５】
0004843100.tif 000016
【図１６】
0004843100.tif 000017
【図１７】
0004843100.tif 000018
【図１８】
0004843100.tif 000019
【図１９】
0004843100.tif 000020
【図２０】
0004843100.tif 000021
【図２１】
0004843100.tif 000022
【図２２】
0004843100.tif 000023